【事件の表示】
　特願２０１３−１６０２９２号「遊技機」拒絶査定不服審判事件〔平成２６年２月３日出願公開、特開２０１４−　１８６７９号〕について、次のとおり審決する。
【結　論】
　本件審判の請求は、成り立たない。
【理　由】
第１　手続の経緯
　本願は、平成２４年７月１１日を出願日とする特願２０１２−１５５７９０号の一部を平成２５年８月１日に新たに特許出願したものであり、平成２６年５月２日付けで拒絶理由通知がなされ、平成２６年７月４日付けで手続補正がなされたが、平成２６年７月１７日付けで拒絶査定がなされ、これに対し平成２６年１０月２０日に拒絶査定不服審判の請求がなされるとともに、これと同時に手続補正（以下、「本件補正」という。）がなされたものである。
 
第２　本件補正についての補正却下の決定
［補正却下の決定の結論］
　本件補正を却下する。
 
［理由］
１．本件補正の概要
　本件補正は特許請求の範囲の請求項１の記載を含む補正であり、平成２６年７月４日付けの手続補正と本件補正の特許請求の範囲の請求項１の記載はそれぞれ、以下のとおりである（下線部は補正箇所を示す。）。
　
（補正前：平成２６年７月４日付け手続補正書）
「【請求項１】
　遊技者によって入力可能な入力手段と、
　演出手段に演出を実行させる演出制御手段と、
　前記入力手段からの入力が有効になる有効期間中に前記入力手段からの入力があった場合に、当該入力に応じた演出変化を発生させる演出変化発生手段とを備え、
　前記演出制御手段は、
　　前記有効期間が訪れることを示唆する示唆演出を当該有効期間前に実行させ、当該有効期間中に遊技者に対して前記入力手段への入力を促す報知演出を実行させる第１演出制御を行う第１演出制御手段と、
　　前記示唆演出を実行させることなく前記報知演出を実行させる第２演出制御を行う第２演出制御手段とを含むことを特徴とする遊技機。」
（補正後：本件補正である平成２６年１０月２０日付け手続補正書） 
「【請求項１】
　遊技者によって入力可能な入力手段と、
　演出手段に演出を実行させる演出制御手段と、
　前記入力手段からの入力が有効になる有効期間中に前記入力手段からの入力があった場合に、当該入力に応じた演
出を実行す
実行
　前記演出制御手段は、
　　
前記入力手段への入力を促すことなく
　　前記示唆演出を実行させることなく前記報知演出を実行させる第２演出制御を行う第２演出制御手段とを含むことを特徴とする遊技機。」
２．補正の適否　　
（１）補正事項
ａ．請求項１に記載された発明特定事項である「前記入力手段からの入力が有効になる有効期間中に前記入力手段からの入力があった場合に、当該入力に応じた演出変化を発生させる演出変化発生手段とを備え、」を、
「前記入力手段からの入力が有効になる有効期間中に前記入力手段からの入力があった場合に、当該入力に応じた演
出を実行す
実行
ｂ．また、請求項１に記載された発明特定事項である「有効期間が訪れることを示唆する示唆演出」に関して、「前記有効期間が訪れることを示唆する示唆演出を当該有効期間前に実行させ、」を、
「
前記入力手段への入力を促すことなく
（２）補正の目的、新規事項
ａ．まず、補正事項ａ．について検討する。
　請求人は、補正の根拠として、審判請求書において、図８（Ｂ）、図９（Ｅ）、図１０（Ｅ）等の表記を挙げて、これらから自明であると主張している。しかし、そこからは、「演出を実行する演出実行手段」を直接読み取ることはできない。しかしながら、請求項１は「演出手段に演出を実行させる演出制御手段」を備えているから、「演出を実行する演出実行手段」とした表現の方が上記記載と整合性がとれ、より明りょうな記載となるから、上記補正事項ａ．は明りょうでない記載の釈明に相当する。
　
ｂ．次に、補正事項ｂ．について検討する。
　請求人は、補正の根拠として、審判請求書において、「本発明における報知演出が入力手段への入力を促すことなく有効期間が訪れることを示唆する演出であることは、本願の当初明細書の段落００９０における「そして、第２の有効期間の所定時間前（例えば１．５秒前）になると、示唆演出として、自転車に跨っているキャラクタが驚いている様子を示す示唆演出画像が表示される（図９（Ｂ）参照）。」との記載や、図９（Ｂ）示されるように、有効期間中に点灯するボタンランプが非点灯の状態で示唆演出画像が表示されること等から自明な事項です。」と主張している。ここで、ボタンランプが非点灯の状態で示唆演出画像が表示されるのは、図９（Ｂ）ではなく、図９（Ｃ）の誤記であることは明らかである。
　そして、本願明細書【００９０】、【００９１】によれば、図９（Ｂ）、図９（Ｃ）に表示される演出は、ボタンランプが有効期間になる前に行われる示唆演出、報知演出であると記載されている。そして、これらの演出はキャラクタが驚いた様子や、ボタンランプが非点灯な状態が画面に表示される演出であり、その後ボタン押下等の示唆を直接しているわけではない。したがって、「前記入力手段への入力を促すことなく前記有効期間が訪れることを示唆する示唆演出」は、本願明細書には記載されていない表現ではあるが、ボタン操作の表示をしない入力に関して直接的な表現を伴わない示唆演出であると認められる。すなわち、「次にここを押せ」とか、「ここを押す準備をしろ」といった具体的なボタン入力の示唆を行わない示唆演出であると解釈できる。
　そうすると、上記補正事項ｂ．により、「有効期間が訪れることを示唆する示唆演出」について「
前記入力手段への入力を促すことなく
　そして、補正事項ａ．補正事項ｂ．は願書に最初に添付された明細書、特許請求の範囲及び図面（以下、「当初明細書等」という。）のすべての記載を総合することにより導かれる技術事項との関係において新たな技術事項を導入するものではない。
３．独立特許要件
　そこで、本件補正後の前記請求項１に記載された発明が特許出願の際独立して特許を受けることができるものであるか否か、すなわち、特許法第１７条の２第６項において準用する同法第１２６条第７項の規定に適合するか否か、について以下に検討する。
（１）本件補正後の請求項１に係る発明
　補正後の請求項１に係る発明（以下、「本願補正発明」という。）は、上記１の本件補正の概要において示したとおりのものである。　
（２）刊行物１
　原査定の拒絶の理由に引用された本願の出願遡及日前に頒布された刊行物である「特開２０１２−１９９３３号公報」（以下、「刊行物１」という。）には、図面と共に次の事項が記載されている（下線は当審で付した。）。
（ア）「【００１５】
　以下、図面を参照しつつ、本発明の一実施形態を詳細に説明する。図１は、本実施の形態におけるパチンコ遊技機の正面図であり、主要部材の配置レイアウトを示す。
パチンコ遊技機（遊技機）１
（イ）「【００６４】
　「
プッシュボタン単発」や「プッシュボタン連打
といった操作系予告となる予告演出では、飾り図柄の可変表示中に、ボタン操作促進演出となる所定の演出動作
画像表示装置５の表示領域に
演出画像を表示
遊技者によるプッシュボタン３１Ｂやトリガボタン３１Ａの操作を促す演出動作
遊技者による操作行為を有効に検出する操作有効期間となる。そして、操作有効期間内に遊技者による操作行為が検出されたことに応じて、例えば予め用意された複数種類の演出画像のうちいずれかの演出画像を画像表示装置５に表示
（ウ）「【０３６６】
　図４８は、図４７のステップＳ５３５にて実行される演出制御指令処理の一例を示すフローチャートである。この演出制御指令処理において、
演出制御用ＣＰＵ１２０
（エ）「【０３７７】
　こうした演出制御指令処理のステップＳ７３１にて実行される処理の一例として、プッシュボタン連打ＣＢＹ２の操作系予告種別に分類される「
プッシュボタン連打」の予告演出が実行されるとき
（オ）「【０３８２】
　図４９に示すプッシュボタン連打時処理では、
操作検出カウント値が演出変更判定値に達すると、常に演出内容を変更する
（カ）「【０３８４】
　図４８に示す演出制御指令処理のステップＳ７３１にて実行される処理の他の一例として、プッシュボタン単発ＣＢＹ１の操作系予告種別に分類される「
プッシュボタン単発」の予告演出が実行されるとき
プッシュボタン３１Ｂに対する指示操作が検出されたときに予告演出における演出内容を変更
（キ）「【０４４０】
　具体的な一例として、図４４に示すステップＳ５０９の処理にて「
プッシュボタン単発」の確変昇格演出を実行すると決定されたときには
プッシュボタン３１Ｂに対する指示操作を促す操作促進演出が行われる。その後、例えば図５４（Ｅ１）に示すような演出画像が画像表示装置５の表示領域に表示されるとともに、プッシュボタン３１Ｂに対する指示操作を有効に検出するプッシュボタン有効検出期間となる。
【０４４１】
　他の一例として、図４４に示すステップＳ５０９の処理にて「
プッシュボタン連打
演出を実行すると決定されたときには
プッシュボタン３１Ｂに対する連続的な指示操作である連打操作を促す操作促進演出が行われる。
演出画像が画像表示装置５の表示領域に表示されるとともに、プッシュボタン３１Ｂに対する指示操作を有効に検出するプッシュボタン有効検出期間となる。
（ク）「【０４５６】
　図５７（Ａ）、（Ｂ）に示すように、画像表示装置５において、全ての飾り図柄の変動が開始された後、図５７（Ｃ）に示すように、例えば半透明や点線の数字を示す予告図柄が「左」及び「右」の飾り図柄表示エリア５Ｌ、５Ｒに表示される。なお、ここでは、図４６のステップＳ７６０において、「左」及び「右」の飾り図柄表示エリア５Ｌ、５Ｒに予告図柄を表示させる旨が決定されたものとする。この時点では、「左」及び「右」の飾り図柄表示エリア５Ｌ、５Ｒに表示された予告図柄の組合せは、リーチ状態やチャンス目を構成しておらず、遊技者は「ハズレ」になるものと認識する。
【０４５７】
　そして、
図５７（Ｄ）に示すように、画像表示装置５にプッシュボタン３１Ｂの連打を促す画像が表示されるボタン操作促進演出が実行される
【０４５８】
　
操作有効期間内に、図４６のステップＳ７６５にて決定された回数、プッシュボタン３１Ｂが操作された場合は、図５７（Ｅ）に示すように、金槌の画像が表示されて「右」の飾り図柄表示エリア５Ｒの予告図柄が変更される演出がなされ
【０４５９】
　その後、図５７（Ｇ）、（Ｈ）に示すように、「左」、「右」の飾り図柄表示エリア５Ｌ、５Ｒに、予告図柄に対応した飾り図柄（例えば予告図柄とは表示態様の異なる黒字の数字）が停止表示され、図５７（Ｉ）に示すように、「中」の飾り図柄表示エリア５Ｃにも、「左」、「右」と同じ数字を示す飾り図柄が停止表示される。
【０４６０】
　一方、
図５７（Ｄ）の段階で、操作有効期間内に図４６のステップＳ７６５にて決定された回数、プッシュボタン３１Ｂが操作されなかった場合
（ケ）上記（イ）より、プッシュボタン３１Ｂは「プッシュボタン単発」や「プッシュボタン連打」といった操作を遊技者によって操作可能なボタンであることは明らかである。
（コ）上記（ウ）、（エ）より、
演出制御用ＣＰＵ１２０は、プッシュボタンの予告演出を実行
予告演出が実行されるとボタン操作促進演出となる所定の演出動作を画像表示装置５の表示領域で表示させ、また、操作行為を有効に検出する操作有効期間内に遊技者による操作行為が検出されたことに応じて、演出画像を画像表示装置５に表示させ
（サ）図５４（Ｅ１）及び（Ｅ２）から、プッシュボタン有効検出期間中の
演出画像
操作を指示する画像
（シ）上記（ク）には、【０４５７】に図５７（Ｄ）はボタン操作促進演出であると記載されているが、【０４６０】には、「図５７（Ｄ）の段階で、操作有効期間内に・・・プッシュボタン３１Ｂが操作されなかった場合は」と記載されていることから、図５７（Ｄ）の段階はボタン操作有効期間でもあるといえる。したがって、ここでのボタン操作促進演出というのは、
ボタン操作を指示する画像
ボタン操作を示唆するような演出画像は見られない。
ボタン操作を示唆することなく、ボタン操作を指示する画像をボタン操作有効期間中に表示する制御について
　上記（ア）ないし（シ）の記載事項及び認定事項を総合すると、刊行物１には以下の発明（以下、「引用発明」という。）が記載されていると認められる。
　「遊技者によって操作可能なプッシュボタン３１Ｂと、
　プッシュボタンの予告演出が実行されるとボタン操作促進演出となる所定の演出動作を画像表示装置５の表示領域で表示させ、また、操作行為を有効に検出する操作有効期間内に遊技者による操作行為が検出されたことに応じて、演出画像を画像表示装置５に表示させる演出制御用ＣＰＵ１２０とを備え、
　演出制御用ＣＰＵ１２０は、前記プッシュボタンの予告演出を実行すると決定したときには、前記プッシュボタン３１Ｂに対する指示操作を促す操作促進演出を行い、その後、演出画像（ボタン操作を指示する画像）を画像表示装置５の表示領域に表示するとともに、前記プッシュボタン３１Ｂに対する指示操作が有効に検出されるプッシュボタン有効検出期間とする場合と、
　ボタン操作を示唆することなく、ボタン操作を指示する画像をボタン操作有効期間中に表示する場合とがある、
　パチンコ遊技機１。」
（３）対比
　本願補正発明と引用発明とを対比する。
（ア）引用発明における「パチンコ遊技機１」、「画像表示装置５」、「プッシュボタン（３１Ｂ）」、「プッシュボタン有効検出期間」は、それぞれ、本願補正発明における「遊技機」、「演出手段」、「入力手段」、「入力手段からの入力が有効になる有効期間」に相当する。
（イ）引用発明における「操作促進演出」は「演出画像（ボタン操作を指示する画像）」の予告演出であるから、本願補正発明における「示唆演出」に相当する。そして、引用発明の「演出画像」、「ボタン操作を指示する画像」は、本願補正発明の「報知演出」に相当する。
（ウ）引用発明における「演出制御用ＣＰＵ１２０」は、本願補正発明における「演出制御手段」及び「演出実行手段」に相当するといえる。
（エ）引用発明における「プッシュボタンの予告演出を実行すると決定したときには、前記プッシュボタン３１Ｂに対する指示操作を促す操作促進演出を行い、その後、演出画像（ボタン操作を指示する画像）を画像表示装置５の表示領域に表示するとともに、前記プッシュボタン３１Ｂに対する指示操作が有効に検出されるプッシュボタン有効検出期間とする」制御は、本願補正発明における「前記入力手段への入力を促すことなく前記有効期間が訪れることを示唆する示唆演出を当該有効期間前に実行させ、当該有効期間中に遊技者に対して前記入力手段への入力を促す報知演出を実行させる第１演出制御」と、「示唆演出」と「報知演出」を行う点で第１演出制御として共通するものである。
　そして、引用発明における「ボタン操作を示唆することなく、ボタン操作を指示する画像をボタン操作有効期間中に表示」する演出制御は、本願補正発明における「前記示唆演出を実行させることなく前記報知演出を実行させる第２演出制御」に相当するといえる。
　上記（ア）ないし（エ）から、本願補正発明と引用発明とは、
「遊技者によって入力可能な入力手段と、
　演出手段に演出を実行させる演出制御手段と、
　前記入力手段からの入力が有効になる有効期間中に前記入力手段からの入力があった場合に、当該入力に応じた演出を実行する演出実行手段とを備え、
　前記演出制御手段は、
　　前記有効期間が訪れることを示唆する示唆演出を当該有効期間前に実行させ、当該有効期間中に遊技者に対して前記入力手段への入力を促す報知演出を実行させる第１演出制御を行う第１演出制御手段と、
　　前記示唆演出を実行させることなく前記報知演出を実行させる第２演出制御を行う第２演出制御手段とを含むことを特徴とする遊技機。」
において一致し、以下の点で相違する。
（相違点）
　有効期間が訪れることを示唆する示唆演出に関し、本願補正発明は、前記入力手段への入力を促すことをしないのに対し、引用発明の操作促進演出はそのような特定がされていない点。
（４）判断
　そこで、前記相違点について検討する。
　引用発明の操作促進演出について、図５４（Ｄ１）を参照すると、その画像には、「ボタンを押して狙ってね」というメッセージと共にボタンが表示されている。その前の図５４（Ｃ１）に「ルーレットチャンス」と表示されていることから、「ルーレット」が表示されるまではボタンを押すことは通常はないが、「ボタンを押して狙ってね」というメッセージは、ボタンという入力手段の入力を促すメッセージであるといえる。
　しかし、刊行物１には、操作促進演出について、上記（２）の（イ）には、
「ボタン操作促進演出は、例えば画像表示装置５の表示領域における所定位置に、予め用意されたキャラクタ画像やメッセージ画像といった演出画像を表示させることなどにより、遊技者によるプッシュボタン３１Ｂやトリガボタン３１Ａの操作を促す演出動作であればよい。遊技者による操作を促す演出動作としては、画像表示装置５に演出画像を表示させるものに限定されず、スピーカ８Ｌ、８Ｒから所定の音声を出力させるもの、遊技効果ランプ９や装飾用ＬＥＤを所定の点灯パターンで点灯あるいは点滅させるもの、遊技領域の内部又は外部に設けられた演出用模型を所定の動作態様で動作させるもの、あるいは、これらのいずれかを組み合わせたものであってもよい。」
と記載されているように、メッセージを伴わない演出、すなわち、入力手段への入力を促すことをしない演出も可能である。例えば、「キャラクタ画像」、「遊技効果ランプ９や装飾用ＬＥＤを所定の点灯パターンで点灯あるいは点滅」は、上記２．（２）ｂ．で検討したとおり、入力に関して直接的な表現を伴わない示唆演出であるといえる。そして、これらの示唆演出の後にボタン操作が有効になる期間となることは明らかである。
　したがって、刊行物１には、入力手段への入力を促すことをしない示唆演出が記載されているから、引用発明の有効期間が訪れることを示唆する示唆演出において、刊行物１に記載された事項に基づき入力手段への入力を促すことをしないようにし、すなわち、前記相違点に係る本願補正発明の構成とすることは当業者が容易になし得ることである。
　そして、本願補正発明の作用効果は引用発明、刊行物１に記載された事項からみて格別のものではない。
　したがって、本願補正発明は引用発明及び刊行物１に記載された事項に基づいて当業者が容易に発明できたものであり、特許法第２９条第２項の規定に基づいて特許出願の際独立して特許を受けることができない。
（審判請求人の主張について）
　なお、審判請求人の主張についても検討する。
　審判請求人は、審判請求書第５頁において、次のような主張をしている。
「この審査官殿のご指摘は、「演出画像」が表示されて、はじめて遊技者が「プッシュボタン有効期間」を認識できることを意味しているものと考えます。 
　このように、「演出画像」が表示されなければ遊技者が「プッシュボタン有効期間」を認識できないということから考えて、「操作促進演出」が、それ単独で有効期間が訪れることを示唆する機能（上記第２の特徴）を有していないことは明らかです。 
　すなわち、「演出画像」の表示がなければ遊技者が有効期間を認識できない以上、「操作促進演出」が、有効期間が訪れることを示唆しているとは言えません。」
　上記主張は、引用発明の「操作促進演出」が、それ単独で有効期間が訪れることを示唆していないとのことである。しかし、上記（２）（イ）には、「こうしたボタン操作促進演出が行われるときには、遊技者による操作行為を有効に検出する操作有効期間となる。」と記載されているように、「操作促進演出」が、それ単独で有効期間が訪れることを示唆していることは明らかである。
　よって、請求人の主張は採用できない。
（５）むすび
　よって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明
　本件補正（平成２６年１０月２０日付け手続補正）は、上記第２のとおり却下されたので、本願の請求項１に係る発明（以下、「本願発明」という。）は、平成２６年７月４日付けの手続補正書により補正された、上記第２の１．で前述した特許請求の範囲の請求項１に記載された事項により特定される次のとおりのものである。
「【請求項１】
　遊技者によって入力可能な入力手段と、
　演出手段に演出を実行させる演出制御手段と、
　前記入力手段からの入力が有効になる有効期間中に前記入力手段からの入力があった場合に、当該入力に応じた演出変化を発生させる演出変化発生手段とを備え、
　前記演出制御手段は、
　　前記有効期間が訪れることを示唆する示唆演出を当該有効期間前に実行させ、当該有効期間中に遊技者に対して前記入力手段への入力を促す報知演出を実行させる第１演出制御を行う第１演出制御手段と、
　　前記示唆演出を実行させることなく前記報知演出を実行させる第２演出制御を行う第２演出制御手段とを含むことを特徴とする遊技機。」
１．刊行物１
　原査定の拒絶の理由に引用された刊行物１の記載事項は、上記第２の３．（２）に記載したとおりである。
　一方、刊行物１の記載された発明は、原査定の理由（論理）を変えないようにするため、原査定の根拠となる平成２６年５月２日付けの拒絶理由通知において、認定された次のとおりのもの（以下、「引用発明１」という。）である。
「パチンコ遊技機１であって、
　プッシュボタン単発及びプッシュボタン連打といった操作系予告となる予告演出では、飾り図柄の可変表示中に、ボタン操作促進演出となる所定の演出動作が画像表示装置５にて行われるものであって、
　演出制御用ＣＰＵ１２０は、前記プッシュボタン連打の予告演出を実行するときには操作検出カウント値が演出変更判定値に達すると演出内容を変更し、プッシュボタン単発の予告演出が実行されるときには前記プッシュボタン３１Ｂに対する指示操作が検出されたときに予告演出における演出内容を変更するものであり、
　前記プッシュボタン単発の演出を実行すると決定したときには、前記プッシュボタン３１Ｂに対する指示操作を促す操作促進演出を行い、その後、演出画像を画像表示装置５の表示領域に表示するとともに、前記プッシュボタン３１Ｂに対する指示操作が有効に検出されるプッシュボタン有効検出期間とするものである一方で、
　前記プッシュボタン連打の演出を実行すると決定したときには、前記プッシュボタン３１Ｂに対する連続的な指示操作である連打操作を促す操作促進演出を行い、演出画像を画像表示装置５の表示領域に表示するとともに、前記プッシュボタン３１Ｂに対する指示操作が有効に検出されるプッシュボタン有効検出期間とするものであり、
　プッシュボタン有効検出期間中の演出画像に前記プッシュボタン３１Ｂに対する操作を促す画像が表示される、パチンコ遊技機１。」
２．対比
　本願発明と引用発明１の対比については、平成２６年５月２日付けの拒絶理由通知のとおりであり、本願発明と引用発明１とは、
「遊技者によって入力可能な入力手段と、
　演出手段に演出を実行させる演出制御手段と、
　前記入力手段からの入力が有効になる有効期間中に前記入力手段からの入力があった場合に、当該入力に応じた演出変化を発生させる演出変化発生手段とを備え、
　前記演出制御手段は、
　　前記有効期間が訪れることを当該有効期間前に示唆する示唆演出、及び当該有効期間中に遊技者に対して入力を促す報知演出を実行させる第１演出制御と、
　　前記報知演出を実行させるもう一つの演出制御とのいずれか一方を選択して行う遊技機。」
において一致しており、以下の点で相違する。
（相違点）
　本願発明における「報知演出を実行させるもう一つの演出制御」は「示唆演出を実行させることなく」実行させる第２演出制御である、との特定を有するのに対し、引用発明１における「プッシュボタン連打の演出（報知演出を実行させるもう一つの演出制御）」は「操作促進演出（示唆演出）」を行うものであり、上記特定を有していない点。
３．判断
　上記相違点について検討する。
（１）操作有効期間前には何ら演出をせず、操作有効期間になると操作促進演出を行う遊技機は、例を挙げるまでもなく本願の出願遡及日前において周知の技術である。特に図柄が可変変動中においては、一定のタイミングにボタン操作の指示が行われるため示唆演出を伴わず、操作有効期間にボタン操作の指示を行うものは広く知られている。
（２）ところで、審判請求人は審判請求書第８頁において、引用発明１に周知技術を採用して「操作促進演出」を行わないようという構成を採用することに関し、阻害要因が存在するとの主張をしている。
　そこで、この点について検討すると、一般にボタン操作有効期間には１、２秒程度のものから５秒以上の長いものが有り、長ければ事前にボタン操作の示唆、予告の必要性は低くなることは自明である。そして、刊行物１の【図５４】の（Ｅ２）の段階において「あと５秒」と表示されているように、ボタン操作の有効期間は比較的長い。一方、本願明細書の【０００４】には、「ところで、上述した特許文献１のように演出ボタンの操作が有効な有効期間が相対的に長い時間に設定されている場合には、遊技者は、演出ボタンの操作を促す報知が開始されたのを確認してからでもそれなりの余裕を持って有効期間内に演出ボタンを操作することができる。」と記載されており、このような場合、示唆演出を必ずしも必要としないことは請求人自身が既に認めていることでもある。
　よって、請求人の主張は採用できない。
（３）したがって、引用発明１における「プッシュボタン連打の演出」を、上記周知技術に基づいて、操作有効期間前には何ら演出をせず、操作有効期間になると操作指示演出を行うものとすることにより第２演出制御とし、もって上記相違点１に係る本願発明の構成とすることは、当業者ならば適宜なし得るものであるといえる。
（４）そして、本願発明の奏する効果は、引用発明１及び上記周知技術の奏する効果から、当業者が予測することができた程度のものである。
（５）なお、刊行物１には、前述したように、図５７（第２　３．（２）（シ）参照）に、ボタン操作有効期間の前に示唆演出をしない例も開示されている。したがって、本願発明は、周知技術を持ち出すまでもなく、引用発明１、刊行物１に記載された事項から当業者が容易に想到し得るものであることを付言しておく。
４．むすび
　以上のとおり、本願発明は、特許法第２９条第２項の規定に基づいて特許を受けることができないものであり、本願は拒絶すべきである。　
　よって、結論のとおり審決する。